(57)【要約】【課題】  被検者眼に認識され易い固視点視標を呈示して正確なマドックス斜位検査を行える視標呈示装置を提供すること。【解決手段】  検査用視標を表示する表示パネルを備えるディスプレイを有する視標呈示装置において、マドックス斜位検査を選択する選択手段と、前記表示パネルの背面側に配置された発光部と、前記選択手段によるマドックス斜位検査の選択に基づき，前記発光部を発光させるとともに，前記表示パネルの所定領域を前記発光部からの光を透過する領域にし，前記ディスプレイにマドックス斜位検査用固視点視標を呈示させる制御部と、  を有すること。【選択図】      図２
2011015889.tif 000002
【特許請求の範囲】
【請求項１】
検査用視標を表示する表示パネルを備えるディスプレイを有する視標呈示装置において、
マドックス斜位検査を選択する選択手段と、
前記表示パネルの背面側に配置された発光部と、
前記選択手段によるマドックス斜位検査の選択に基づき，前記発光部を発光させるとともに，前記表示パネルの所定領域を前記発光部からの光を透過する領域にし，前記ディスプレイにマドックス斜位検査用固視点視標を呈示させる制御部と、  を有する、
ことを特徴とする視標呈示装置。
【請求項２】
請求項１の視標呈示装置において、
前記ディスプレイは、前記表示パネルを背後から照明するバックライトと、該バックライトからの照明光を透過する領域が前記制御部によって制御される前記表示パネルと、前記バックライトの背面側に配置されて前記表示パネル及び前記バックライトを保持する保持部と、を備え、
前記発光部は、前記バックライトの背面側に配置されている、
ことを特徴とする視標呈示装置。
【請求項３】
請求項２の視標呈示装置において、
前記ディスプレイは、前記バックライトと前記保持部との間に配置されて前記バックライトからの照明光を前記表示パネル側に反射する反射部材を備え、
前記発光部は、前記反射部材の背面側に配置されている、
ことを特徴とする視標呈示装置。
【請求項４】
請求項２又は３の視標呈示装置において、
前記発光部は、前記保持部に形成された孔に固定されている、
ことを特徴とする視標呈示装置。
【請求項５】
請求項１〜４の何れかの視標呈示装置において、
前記発光部は、白色光を発する発光素子を備える、
ことを特徴とする視標呈示装置。
【請求項６】
請求項１〜５の何れかの視標呈示装置において、
前記発光部は、前記表示パネルの背面側の略中央に配置されている、
ことを特徴とする視標呈示装置。
【発明の詳細な説明】
【技術分野】
【０００１】
本発明は、被検者眼の視機能を検査するために視標を呈示する視標呈示装置に関する。
【背景技術】
【０００２】
被検者眼の視力等の視機能を検査するために視標を呈示する視標呈示装置としては、近年、ＬＣＤ（Liquid Crystal Display）等の表示パネルを備えるディスプレイに視標を表示する装置が提案されている（例えば、特許文献１参照）。
【０００３】
また、斜位を検査する方法の一つとして、マドックス斜位検査がある。この検査では、被検者の一方の眼に固視点視標が呈示され、他法の眼にはマドックスロッド（マドックスレンズ）を介して固視点視標が呈示される。マドックスロッドは、同方向に並んだ複数の円柱レンズで構成されており、マドックスロッドを介して呈示された固視点視標は、縦方向又は横方向に線状に伸びる線状光線として認識される。そして、マドックスロッドを介さない眼で認識される固視点視標とマドックスロッドを介した眼で認識される線状光線とを重ね合わせるために必要なプリズム量を求めることにより、斜位量が得られる（例えば、特許文献２参照）。
【先行技術文献】
【特許文献】
【０００４】
【特許文献１】特開２００８−２０６６７５号公報
【特許文献２】特開平８−１６８４６６号公報
【発明の概要】
【発明が解決しようとする課題】
【０００５】
視標呈示装置は、眼鏡店、眼科医院、等では、蛍光灯等によって明るくされた室内に設置されていることが多い。このため、固視点視標が外乱光等と同程度の輝度であると、被検者眼には固視点視標による線状光線以外にも多くの線状光線が見えてしまい、正確なマドックス斜位検査が行われ難くなる。
【０００６】
本発明は、上記従来技術の問題点に鑑み、被検者眼に認識され易い固視点視標を呈示して正確なマドックス斜位検査を行える視標呈示装置を提供することを技術課題とする。
【課題を解決するための手段】
【０００７】
本発明は上記課題を解決するために以下の構成を備えることを特徴とする。
（１）  検査用視標を表示する表示パネルを備えるディスプレイを有する視標呈示装置において、マドックス斜位検査を選択する選択手段と、前記表示パネルの背面側に配置された発光部と、前記選択手段によるマドックス斜位検査の選択に基づき，前記発光部を発光させるとともに，前記表示パネルの所定領域を前記発光部からの光を透過する領域にし，前記ディスプレイにマドックス斜位検査用固視点視標を呈示させる制御部と、  を有する
ことを特徴とする。
（２）  （１）の視標呈示装置において、前記ディスプレイは、前記表示パネルを背後から照明するバックライトと、該バックライトからの照明光を透過する領域が前記制御部によって制御される前記表示パネルと、前記バックライトの背面側に配置されて前記表示パネル及び前記バックライトを保持する保持部と、を備え、前記発光部は、前記バックライトの背面側に配置されていることを特徴とする。
（３）  （２）の視標呈示装置において、前記ディスプレイは、前記バックライトと前記保持部との間に配置されて前記バックライトからの照明光を前記表示パネル側に反射する反射部材を備え、前記発光部は、前記反射部材の背面側に配置されていることを特徴とする。
（４）  （２）又は（３）の視標呈示装置において、前記発光部は、前記保持部に形成された孔に固定されていることを特徴とする。
（５）  （１）〜（４）の何れかの視標呈示装置において、前記発光部は、白色光を発する発光素子を備えることを特徴とする。
（６）  （１）〜（５）の何れかの視標呈示装置において、前記発光部は、前記表示パネルの背面側の略中央に配置されていることを特徴とする。
【発明の効果】
【０００８】
本発明によれば、被検者眼に認識され易い固視点視標を呈示して正確なマドックス斜位検査を行うことができる。
【発明を実施するための形態】
【０００９】
以下、本発明の実施の形態を図面に基づいて説明する。図１は、本発明の一実施形態である視標呈示装置の概略外観図である。図２は、視標呈示装置の概略構成図である。
【００１０】
視標呈示装置１の筐体２の前面には、視標呈示部３となるディスプレイ３０が配置されている。ディスプレイ３０は、被検者（被検者眼）との距離（検査距離）が５ｍ等の遠用距離に置かれた場合でも視力値０．１等の大きなサイズの視力検査用視標を表示可能なサイズを持つ画面を備える。また、検査距離が５ｍ等の遠方距離に置かれた場合でも視力値２．０等の小さなサイズの視力検査用視標を表示可能な解像度を持つ画面を備える。なお、視標は、呈示部３（ディスプレイ３０）の中心軸Ｌを基準に呈示される。また、本実施形態では、ディスプレイ３０は、カラーＬＣＤとされている。
【００１１】
呈示部３に呈示される視標の選択等は、選択手段であるリモコン２０からの信号に基づいて行われる。リモコン２０の前方には、スイッチ２１による信号を送信する送信部２５が設けられている。また、筐体２の正面の下方には、リモコン２０からの信号を受信する受信部５が設けられている。
【００１２】
視標呈示装置１を用いて検査が行われる場合、被検者眼の前には検眼装置８０が配置される。検眼装置８０は、右眼用の検査窓８０Ｒと左眼用の検査窓８０Ｌとを備え、各検査窓に球面レンズ、円柱レンズ、マドックスロッド（マドックスレンズ）等の補助レンズ、等が切換え配置される。
【００１３】
ディスプレイ（カラーＬＣＤ）３０は、表示パネルである液晶パネル３１と、液晶パネル３１の背面側に配置されて背後から液晶パネル３１を照明するバックライト３２と、バックライト３２の背面側に配置されてバックライト３２からの照明光を液晶パネル３１側に反射する反射部材である反射シート３３と、反射シート３３の背面側に配置されて液晶パネル３１とバックライト３２と反射シート３３とを保持する保持部３４と、を備える。
【００１４】
液晶パネル３１は、液晶板、液晶板を保護するガラス基板、偏光フィルタ、等を備える。液晶板は、制御信号を受ける端子を側面側に備え、後述する制御部７０によってバックライト３２からの照明光を透過する領域が制御されることにより、様々な形状及びサイズの視標を呈示できる。バックライト３２は、透明なガラス基板で形成された導光板３２ａと、導光板３２ａを照明する光源３２ｂと、を備える。光源３２ｂは、蛍光灯等の管状の光源又はＬＥＤ（Light Emitting Diode）等の発光素子を複数並べた光源であり、導光板３２ａの側面側に配置されている。導光板３２ａは、光源３２ｂからの光を拡散させて面全体を発光させる。反射シート３３は、透光性を持つ白色の樹脂シートとされ、背面側からの光を前面側に透過する特性を持つ。保持部３４は、金属等で形成された板状又は箱状の部材であり、接着剤、ネジ、等の固定部材（図示を略す）によって液晶パネル３１等を保持する。また、保持部３４は、ネジ等によって筐体２に固定されている。保持部３４には、後述する発光部４０を配置するための貫通孔３４ａが形成されており、本実施形態では、中心軸Ｌに一致する保持部３４の中央部に形成されている。貫通孔３４ａの径は、後述する発光部４０の発光素子の径より若干大きい程度とされている。
【００１５】
保持部３４の貫通孔３４ａ内に固定された発光部４０は、発光素子であるＬＥＤ４１と、ＬＥＤ４１を保持する基板４２と、基板４２に固定されてＬＥＤ４１（発光素子）の熱を放熱する放熱フィン４３と、を備える。
【００１６】
発光部４０は、液晶パネル３１の局所的な照明光源の役割を持つ。このため、発光部４０からの光が液晶パネル３１を透過するように、発光部４０は筐体２内の液晶パネル３１の背面側に配置されている。本実施形態では、反射シート３３の背面側に配置されている。なお、発光部４０は、バックライト３２からの照明光を妨げないように配置されていることが好ましい。このため、発光部４０は、バックライト３２及び反射シート３３よりも背面側に配置されていることが好ましい。
【００１７】
また、発光部４０は、ＬＥＤ４１が点灯された際に液晶パネル３１を透過する光が少なくともマドックス斜位検査用固視点視標のサイズとなる発光（照明）領域を持つ。なお、本実施形態では、ＬＥＤ４１は１つとしてたが、複数用いてもよい。また、ＬＥＤ４１が呈示部３の中心軸Ｌと一致するように、発光部４０が保持部４４に固定されている。また、発光部４０（ＬＥＤ４１）の光は、バックライト３２の光よりも輝度が高く、バックライト３２の光と近い特性の光であることが好ましい。本実施形態では、ＬＥＤ４１は１つの白色ＬＥＤとされている。
【００１８】
なお、呈示部３によって呈示される視標等の背景輝度（白色背景）は、８０〜３２０ｃｄ／ｍ2の範囲とされ、好ましくは２００ｃｄ／ｍ2程度とされる。このため、バックライト３２は、液晶パネル３１を透過した光が前述の背景輝度の範囲に入るような照明光量を持つものとされる。ＬＥＤ４１の輝度は、呈示部３で固視点視標とされた際に上記の背景輝度の範囲で定められたバックライト３２の輝度よりも高いものとされることが好ましい。
【００１９】
放熱フィン４３は、ＬＥＤ４１で発生した熱を伝達し易い特性を持つものとされており、本実施形態では、金属で形成されている。また、基板４２も伝熱性を持つもので形成されていることが好ましい。放熱フィン４３は、前後のスペースが限られる筐体２内で表面積を確保するために、中心軸Ｌに対して上下左右方向に広がるような形状とされている。
【００２０】
制御部７０には、受信部５、液晶パネル３１、光源３２ｂ、メモリ７１、等が接続されている。メモリ７１には、マドックス斜位検査用固視点視標、ランドルト環視標等の視力検査用視標、等が記憶されている。また、メモリ７１には、スイッチ２１でマドックス斜位検査が選択された際にＬＥＤ４１及び液晶パネル３１の制御を行うプログラム等が記憶されている。
【００２１】
以上のような構成を有する装置の動作を説明する。ここでは、マドックス斜位検査について図３に基づいて説明する。
【００２２】
検者がリモコン２０のスイッチ２１を操作して検査を選択すると、その信号は、送信部２５から所定コードの光信号に変換されて送信される。受信部５で受信された信号は、制御部７０に入力される。制御部７０は、受信された信号に基づいてメモリ７１から検査用のデータを呼び出し、ＬＥＤ４１、液晶パネル３１、バックライト３２、等の制御を行う。例えば、視力検査が選択された場合、制御部７０は、視力検査用視標をディスプレイ３０に表示させる。このとき、バックライト３２は点灯され、液晶パネル３１は所定の形状の視標を表示するように制御される。このようにして、呈示部３に視力検査用視標が呈示される（図１参照）。
【００２３】
一方、スイッチ２１でマドックス斜位検査が選択された場合、制御部７０は、ＬＥＤ４１を発光させ、液晶パネル３１を固視点視標の領域だけ照明光を透過するように制御する。すなわち、図３に示すように、制御部３０は、呈示部３の黒地背景５０の中央に固視点視標５１を呈示させる。このとき、背景５０の箇所では、ＬＥＤ４１の光を遮断するように液晶パネル３１を制御する。このようにして、黒色の背景５０に白色の固視点視標５１が呈示される。なお、マドックス斜位検査では、バックライト３２は点灯されていてもよいし、消灯されていてもよい。
【００２４】
マドックス斜位検査が行われる場合には、被検者の一方の眼の前にマドックスロッド９０が配置される。例えば、右眼Ｒの前にマドックスロッド９０が配置される。このため、右眼Ｒでマドックスロッド９０を介して遠方にある固視点視標５１を見ると、円柱の軸に対して垂直な方向に線状光線５２が見える。つまり、水平斜位の検査のために円柱９１が右眼Ｒに対して水平方向に配置された場合には、垂直方向に線状光線５２が見える。一方、上下斜位の検査のために円柱９１が右眼Ｒに対して垂直方向に配置された場合には、水平方向に線状光線５２が見える。
【００２５】
左眼Ｌには固視点視標５１が認識され、右眼Ｒには垂直方向に伸びる線状光線５２が認識される。両眼で固視点視標５１と線状光線５２とが認識されたら、検者は、被検者に対して固視点視標５１と線状光線５２との位置とが一致するか否か（左右方向にずれているか否か）を確認する。一致しない場合、左眼Ｌの前にプリズムが配置され、固視点視標５１と線状光線５２とが重なるようにプリズム量の調節が行われる。このプリズムの調節量から、被検者眼の斜位の度合いが判定される。
【００２６】
このようにして、左眼Ｌに呈示された固視点視標５１と右眼Ｒに呈示された線状光線５２とにより、水平斜位が検査される。
【００２７】
なお、マドックスロッド９０は、固視点視標を視認し易い線状光線とするために、周辺からの光（外乱光）を減光する特性を持つ。これにより、固視光以外の刺激光の検査に対する影響を抑えられる。このため、バックライト３２だけの照明光で固視点視標が呈示されると、固視点視標がマドックスロッド９０を介して被検者眼に認識され難くなる。また、上記の輝度の範囲に対応して設定されたバックライト３２の輝度（照明光量）をマドックス斜位検査の際に別の照明光を発するＬＥＤ４１を用いることにより、輝度値の高い固視点視標が得られる。ＬＥＤ４１の発光によって固視点視標の輝度を向上させることにより、被検者眼が線状光線（マドックスロッドを介した固視点視標）を認識し易くなる。これにより、被検者眼に認識され易いマドックス斜位検査用固視点視標を呈示することができ、より正確なマドックス斜位検査を行うことができる。また、発光部４０が液晶パネル３１よりも背面側に配置されていることにより、ＬＥＤ４１を消灯した際には呈示部３に固視点視標は呈示されない。これにより、視力検査のような通常の背景輝度の検査ではＬＥＤ４１が検査の邪魔にならない。また、ＬＥＤ４１を中心軸Ｌ上に置くことにより、マドックス斜位検査の精度が向上する。例えば、呈示部３の外周の上部に固視点視標となる点光源（例えば、ＬＥＤ）が配置された場合、この点光源は、中心軸Ｌから外れた位置に置かれる。このため、被検者眼の斜位が誘発される場合がある。例えば、検査距離が５ｍとされ、この点光源の配置位置が中心軸Ｌから１０ｃｍの位置と想定されると、被検者眼が点光源を見ると２プリズム分のバイアスがある状態で斜位検査が行われることとなる。
【００２８】
なお、以上の実施形態では、発光部４０が保持部３４に保持されているが、発光部４０が液晶パネル３１、バックライト３２又は反射シート３３の背面に取り付けられていてもよい。また、発光部４０が反射シート３３よりも後方に配置される場合には、反射シート３３が発光部４０からの照明光を透過し易くされてもよい。具体的には、反射シート３３の中央部に貫通孔があけられていてもよいし、反射シート３３の中央部のみ透明にされていてもよい。
【００２９】
また、以上の実施形態では、発光部４０が筐体２内に配置されているが、筐体２外に配置されていてもよい。
【００３０】
また、以上の実施形態では、発光部４０が点灯及び消灯のみ行われているが、発光部４０の輝度が変更されてもよい。例えば、リモコン２０の所定のスイッチによって発光部４０の輝度が調整されてもよいし、装置の設置条件に応じて発光部４０の輝度が調整されてもよい。
【００３１】
また、以上の実施形態では、発光部４０に発光素子であるＬＥＤ４１が用いられているが、第２のバックライトが用いられてもよい。また、発光部４０の発光素子は、表示パネル（液晶パネル）３１より背面側の側方に配置されていてもよい。例えば、保持部４２の中央にミラーが配置され、保持部４２の周辺に発光素子が配置され、発光素子からの照明光がミラーで反射されて表示パネル３１の中央を背後から照明してもよい。
【００３２】
また、以上の実施形態では、ディスプレイ３０が液晶ディスプレイとされているが、表示パネルの背後から発光部によってマドックス斜位検査用固視点視標が呈示されればよい。例えば、有機ＥＬ（Electro-Luminescence）ディスプレイを用いてもよいし、有機ＥＬディスプレイと液晶パネルを組み合せたディスプレイ等を用いてもよい。
【００３３】
また、以上の実施形態では、保持部３４が筐体２に固定されているが、保持部３４が筐体２の一部を兼ねていてもよい。
【００３４】
また、以上の実施形態では、固視点視標を呈示するために１つの発光部が用いられているが、複数の発光部が用いられてもよい。例えば、中央の発光部と上下左右方向に等間隔に配置された複数の発光部とにより、呈示部の中央に呈示された固視点視標の上下左右に目盛となる視標を呈示させ、検査で算出されるプリズム量の目安としてもよい。なお、固視点視標を呈示するための発光部以外の発光部は、そこからの光がマドックスロッドを介して被検者眼に認識され難いことが好ましい。
【図面の簡単な説明】
【００３５】
【図１】視標呈示装置の概略外観図である。
【図２】視標呈示装置の概略構成図である。
【図３】マドックス斜位検査を説明する図である。
【符号の説明】
【００３６】
１  視標呈示装置
２０  リモコン
３０  ディスプレイ
３１  表示パネル
３２  バックライト
３３  反射シート
３４  保持部
４０  発光部
４１  ＬＥＤ
【図１】
2011015889.tif 000003
【図２】
2011015889.tif 000004
【図３】
2011015889.tif 000005